(57)【特許請求の範囲】
【請求項１】
相異発光素子を有する傾斜検出器であって、
基板にあり、異なる複数の出射光を発生する複数の発光素子と、
重力によって前記基板上の収納空間の中で運動することができる遮蔽物と、
前記基板にあり、それぞれが前記出射光の中のいずれか１つに対応して受光する複数の受光領域を含み、該受光領域が前記発光素子と運動可能な前記遮蔽物との相対位置によってそれぞれ前記出射光の中のいずれか１つに対応する複数の受光量を検出する光センサと、
該光センサに電気的に接続され、前記受光量によって前記傾斜検出器の傾斜角度を判断する判断モジュールと
を含むことを特徴とする傾斜検出器。
【請求項２】
前記発光素子が第１の発光素子及び第２の発光素子を含み、第１の出射光及び該第１の出射光と異なる第２の出射光をそれぞれに発生し、前記受光領域が第１の受光領域及び第２の受光領域を含み、それぞれが前記第１の出射光及び前記第２の出射光に対応して受光し、前記第１の発光素子と前記遮蔽物及び前記第２の発光素子と前記遮蔽物との相対位置によって第１の受光量及び第２の受光量を検出するものであることを特徴とする請求項１に記載の傾斜検出器。
【請求項３】
前記第１の発光素子が不可視光発光素子であり、前記第２の発光素子が可視光発光素子であり、前記不可視光発光素子が赤外光（ｉｎｆｒａｒｅｄ  ｌｉｇｈｔ）又は紫外線（ｕｌｔｒａｖｉｏｌｅｔ  ｌｉｇｈｔ）発光素子であり、赤外光又は紫外線の前記第１の出射光を発生し、前記第１の受光領域が赤外光又は紫外線受光領域であり、且つ前記可視光発光素子が単色光発光素子であり、単色光の前記第２の出射光を発生し、前記第２の受光領域が単色光受光領域であることを特徴とする請求項２に記載の傾斜検出器。
【請求項４】
前記収納空間と前記基板の同一平面にあり、前記収納空間を取り囲んで設けられ、且つ前記収納空間に続く複数の周囲収容室を更に含み、前記発光素子及び前記光センサがそれぞれ前記周囲収容室の中のいずれか１つにあることを特徴とする請求項１に記載の傾斜検出器。
【請求項５】
前記基板と前記収納空間の間にある複数の底部収容室を更に含み、前記発光素子及び前記光センサが前記底部収容室にあり、前記底部収容室がそれぞれ前記遮蔽物より小さい開口を有し、該開口を介して前記収納空間に続いており、前記遮蔽物を前記収納空間の中のみで運動させ、前記光センサが前記底部収容室の開口によって前記発光素子が発生する複数の反射光に対し検出を行うものであることを特徴とする請求項１に記載の傾斜検出器。
【請求項６】
複数の底部収容室及び枢軸を更に含み、前記底部収容室が前記基板と前記収納空間との間にあり、前記発光素子及び前記光センサが前記底部収容室にあり、前記底部収容室がそれぞれ開口を有し、該開口を介して前記収納空間に続いており、前記遮蔽物が板状遮蔽物であり、前記遮蔽物の一端が前記枢軸に枢接され、前記重力によって前記収納空間の中で回転運動を行うものであることを特徴とする請求項１に記載の傾斜検出器。
【請求項７】
前記収納空間と前記基板の同一平面にある複数の中間収容室を更に含み、前記収納空間が前記中間収容室を取り囲んで設けられ、且つ前記中間収容室が前記収納空間に続いており、前記発光素子及び前記光センサがそれぞれ前記中間収容室の中のいずれか１つにあることを特徴とする請求項１に記載の傾斜検出器。
【請求項８】
傾斜検出器に用いる傾斜検出器の操作方法であって、
前記傾斜検出器の基板上の複数の発光素子が異なる複数の出射光を発生するステップと、
遮蔽物が前記傾斜検出器の収納空間の中で重力によって運動するステップと、
前記傾斜検出器の光センサが検出を行い、前記光センサがそれぞれ前記出射光の中のいずれか１つに対応して受光する複数の受光領域を含み、前記発光素子と運動可能な前記遮蔽物との相対位置によって複数の受光量を検出するステップと、
前記受光量によって前記傾斜検出器の傾斜角度を判断するステップと
を含むことを特徴とする傾斜検出器の操作方法。
【請求項９】
前記発光素子が第１の発光素子及び第２の発光素子を含み、第１の出射光及び該第１の出射光と異なる第２の出射光をそれぞれ発生し、前記受光領域が第１の受光領域及び第２の受光領域を含み、前記第１の出射光及び前記第２の出射光にそれぞれ対応して受光し、前記第１の発光素子と前記遮蔽物及び前記第２の発光素子と前記遮蔽物との相対位置によって第１の受光量及び第２の受光量を検出することを特徴とする請求項８に記載の傾斜検出器操作方法。
【請求項１０】
前記第１の発光素子が不可視光発光素子、前記第２の発光素子が可視光発光素子であり、前記不可視光発光素子が赤外光又は紫外線の前記第１の出射光を発生する赤外光又は紫外線発光素子であり、前記第１の受光領域が赤外光又は紫外線受光領域であり、且つ前記可視光発光素子が単色光発光素子であり、単色光の前記第２の出射光を発生し、前記第２の受光領域が単色光受光領域であることを特徴とする請求項９に記載の傾斜検出器操作方法。
【発明の詳細な説明】
【技術分野】
【０００１】
本発明は電子検出裝置及び方法に関し、特に相異発光素子を有する傾斜検出器及び傾斜検出器の操作方法に関する。
【背景技術】
【０００２】
撮影と表示機能を持つ電子機器がもっともユーザーに好かれる現代家庭用電子機器である。ユーザーが撮影する時に、常に直立や水平、二種類の撮影の角度があり、スクリーンによって撮影結果を見る時に、ときどき電子裝置を９０度回転する必要があり、使用上の不便になる。このため、傾斜検出器によってそれの角度を検出し、そしてスクリーン又は関連する操作を調整する。
【０００３】
従来の技術において、通常は単一の発光素子によって光を発生し、移動可能な遮蔽物によって異なる位置で光に対し異なる遮蔽効果をもたらし、そして２つの光センサを設けることによって光量を検出して、異なるモードに傾斜検出器の角度を判断する。しかしながら、この設計方式では、光センサ及び発光素子の数の構成が制限される。
【０００４】
このため、新規な傾斜検出器及び傾斜検出器の操作方法を設計し、異なる光センサ及び発光素子の構成方式によって検出の効果に達することがこの分野で未解決の問題である。
【発明の概要】
【発明が解決しようとする課題】
【０００５】
そこで本発明は、新規な傾斜検出器及び傾斜検出器の操作方法を設計し、異なる光センサ及び発光素子の構成方式によって検出の効果に達することを目的とする。
【課題を解決するための手段】
【０００６】
このため、本発明の内容の一実施の形態が、複数の発光素子、遮蔽物、光センサ及び判断モジュールを含み、相異発光素子を有する傾斜検出器を提供することである。発光素子は、基板にあり、異なる複数の出射光を発生することに用いる。遮蔽物は、重力によって基板上の収納空間の中で運動することができる。光センサは、基板にあり、それぞれが出射光の中のいずれか１つを受光する複数の受光領域を含む。受光領域は、発光素子と運動可能な遮蔽物との相対位置によって複数の受光量を検出し、それぞれ出射光の中のいずれか１つに対応する。判断モジュールは、光センサに電気的に接続され、受光量によって傾斜検出器の傾斜角度を判断することに用いる。
【０００７】
本発明内容の一実施例において、発光素子は、第１の発光素子及び第２の発光素子を含み、第１の出射光及び第１の出射光と異なる第２の出射光をそれぞれに発生し、受光領域は、第１及び第２の受光領域を含み、第１及び第２の出射光をそれぞれに受光し、そして第１の発光素子と遮蔽物及び第２の発光素子と遮蔽物との相対位置によって第１の受光量及び第２の受光量を検出する。
【０００８】
本発明内容の他の実施例において、第１の発光素子が不可視光発光素子であって、第２の発光素子が可視光発光素子である。不可視光発光素子は、赤外光（ｉｎｆｒａｒｅｄ  ｌｉｇｈｔ）又は紫外線（ｕｌｔｒａｖｉｏｌｅｔ  ｌｉｇｈｔ）発光素子であってよく、赤外光又は紫外線の第１の出射光を発生する。第１の受光領域は、赤外光又は紫外線受光領域である。可視光発光素子は、単色光発光素子であり、単色光の第２の出射光を発生する。第２の受光領域は、単色光受光領域である。
【０００９】
本発明内容の又１つの実施例において、傾斜検出器は、複数の周囲収容室を更に含み、周囲収容室及び収納空間が基板の同一平面にあり、周囲収容室が収納空間を取り囲んで設けられ、且つ収納空間に続く。発光素子及び光センサは、それぞれ周囲収容室の中のいずれか１つにある。
【００１０】
本発明内容の更に一実施例において、傾斜検出器は、複数の底部収容室を更に含み、底部収容室が基板と収納空間との間にあり、発光素子及び光センサが底部収容室にあり、底部収容室がそれぞれ遮蔽物より小さい開口を有し、その開口を介して収納空間に続いており、遮蔽物を収納空間の中のみで運動させる。
【００１１】
本発明内容の更に一実施例において、光センサが底部収容室の開口によって発光素子が発生する反射光を検出する。
【００１２】
本発明内容の更に一実施例において、傾斜検出器は、複数の底部収容室及び枢軸を更に含み、底部収容室が基板と収納空間との間にあり、発光素子及び光センサが底部収容室にあり、底部収容室がそれぞれ開口を有し、その開口を介して収納空間に続く。遮蔽物が板状遮蔽物であり、遮蔽物の一端が枢軸に枢接され、重力によって収納空間の中で回転運動を行う。
【００１３】
本発明内容の一実施例において、傾斜検出器は、収納空間と基板の同一平面にある複数の中間収容室を含み、収納空間が中間収容室を取り囲んで設けられ、且つ中間収容室が収納空間に続く。発光素子及び光センサは、それぞれ中間収容室の中のいずれか１つにある。
【００１４】
本発明内容の他の実施形態が、傾斜検出器に用いる傾斜検出器の操作方法を提供する。傾斜検出器の操作方法は、傾斜検出器の基板上の複数の発光素子が異なる複数の出射光を発生するステップと、遮蔽物が傾斜検出器の収納空間の中で重力によって運動するステップと、傾斜検出器の光センサが検出を行い、光センサがそれぞれ出射光の中のいずれか１つを受光する複数の受光領域を含み、発光素子と運動可能な遮蔽物との相対位置によって複数の受光量を検出するステップと、受光量によって傾斜検出器の傾斜角度を判断するステップとを含む。
【００１５】
本発明内容の一実施例において、発光素子は、第１の発光素子及び第２の発光素子を含み、第１の出射光及び第１の出射光と異なる第２の出射光をそれぞれに発生し、受光領域は、第１及び第２の受光領域を含み、第１及び第２の出射光をそれぞれに受光し、第１の発光素子と遮蔽物及び第２の発光素子と遮蔽物との相対位置によって第１の受光量及び第２の受光量を検出する。
【００１６】
本発明内容の他の実施例において、第１の発光素子が不可視光発光素子であって、第２の発光素子が可視光発光素子である。不可視光発光素子は、赤外光又は紫外線発光素子であってよく、赤外光又は紫外線の第１の出射光を発生する。第１の受光領域は、赤外光又は紫外線受光領域である。可視光発光素子は、単色光発光素子であり、単色光の第２の出射光を発生する。第２の受光領域は、単色光受光領域である。
【発明の効果】
【００１７】
本発明内容を用いることにより、複数の発光素子によって異なる出射光を発生し、遮蔽物と発光素子との位置関係を合わせて、光センサによって異なる出射光に対応する受光量を検出し、傾斜角度を判断する効果に達し、容易に前記目的に達する。
【図面の簡単な説明】
【００１８】
本発明内容の前述及びその他の目的、特徴、利点と実施例を更に理解しやすくするために、以下のように図面を説明する。
【図１Ａ】本発明内容の一実施例において、傾斜検出器の分解図である。
【図１Ｂ】図１Ａの傾斜検出器の平面図である。
【図１Ｃ】図１Ａの傾斜検出器のブロック図である。
【図２】図２Ａ〜図２Ｄは、図１Ａ〜図１Ｃにおける傾斜検出器が異なる角度にある時の平面図である。
【図３Ａ】本発明内容のまた別の一実施例において、傾斜検出器の分解図である。
【図３Ｂ】図３Ａの傾斜検出器がＡ方向に沿う側面図である。
【図４Ａ】本発明内容のまた別の一実施例において、傾斜検出器の分解図である。
【図４Ｂ】図４Ａの傾斜検出器を組み立てた後の立体斜視図である。
【図５】本発明内容の一実施例において、傾斜検出器の平面図である。
【図６】本発明内容のまた別の一実施例において、傾斜検出器の操作方法のフローチャートである。
【発明を実施するための形態】
【００１９】
図１Ａ、図１Ｂ及び図１Ｃを参照する。図１Ａ、図１Ｂ及び図１Ｃは、それぞれ本発明内容の一実施例において、相異発光素子を有する傾斜検出器１の分解図、平面図及びブロック図である。本実施例において、傾斜検出器１は、第１の発光素子１００、第２の発光素子１０２、遮蔽物１０４（図１Ｃに図示せず）、光センサ及び判断モジュール１１６（図１Ａ及び図１Ｂ図示せず）を含む。
【００２０】
第１の発光素子１００及び第２の発光素子１０２は、基板１１０にあり、異なる第１の出射光及び第２の出射光（図示せず）を発生する。本実施例において、第１の発光素子１００は、不可視光発光素子（例えば、赤外光又は紫外線発光素子）であり、赤外光又は紫外線形式の第１の出射光を発生する。第２の発光素子１０２は、単色光発光素子であり、単色光の第２の出射光を発生する。なお、単色光が赤色光、青色光、緑色光、黄色光又は他の顔色の可視光であってよい。
【００２１】
遮蔽物１０４は、重力によって基板１１０上の収納空間１１２の中で運動することができる。本実施例において、遮蔽物１０４は、円柱状遮蔽物であり、収納空間１１２の中で転がるように移動する。他の実施例において、他の形状でこの遮蔽物を形成してもよく、例えば、円球状球体、又は他の転がりやすい又は回転しやすい形状である。
【００２２】
本実施例における傾斜検出器１は、周囲収容室１１４を更に含む。周囲収容室１１４と収納空間１１２が基板１１０の同一平面にあり、周囲収容室は収納空間１１２を取り囲んで設けられ、且つ収納空間１１２に続く。前記第１の発光素子１００、第２の発光素子１０２及び光センサは、それぞれ周囲収容室１１４の中のいずれか１つにある。このため、第１の発光素子１００及び第２の発光素子１０２が発生する第１及び第２の出射光が収納空間１１２に照射し、遮蔽物１０４がある位置によって第１の発光素子１００及び第２の発光素子１０２が発生する第１及び第２の出射光を遮蔽する。最後に、遮蔽物１０４に遮蔽されなければ、光が光センサの位置に再び伝送する。
【００２３】
光センサは、基板１１０にあり、第１の受光領域１０６及び第２の受光領域１０８を含む。前記実施形態に応じて、第１の受光領域１０６は、赤外光又は紫外線に応じて受光することができる赤外光又は紫外線受光領域であり、第２の受光領域１０８は、単色光に応じて受光することができる単色光受光領域である。実際に、第１の発光素子１００及び第２の発光素子１０２は、第１の受光領域１０６と第２の受光領域１０８が対応する電磁波しか受信せず、互いに妨害しないように、周波数が近くない、異なる電磁波エミッターのいずれか２つによって実現される。
【００２４】
図２Ａ〜図２Ｄを同時に参照する。図２Ａ〜図２Ｄは、図１Ａ〜図１Ｃにおける傾斜検出器１が異なる角度にある時の平面図である。図２Ａにおいて、遮蔽物１０４が収納空間１１２の中で光センサの第１の受光領域１０６及び第２の受光領域１０８の前まで移動し、このため、第１の発光素子１００及び第２の発光素子１０２が発生する第１及び第２の出射光を遮蔽する。このため、第１の受光領域１０６及び第２の受光領域１０８がほとんど光を検出せず、対応する第１の受光量１１１及び第２の受光量１１３（図１Ｃに示す）が極小値又は０になる。この場合、第１の受光領域１０６及び第２の受光領域１０８が検出する第１の及び第２の受光量１１３は、（０，０）と表示してもよい。
【００２５】
図２Ｂにおいて、遮蔽物１０４がある位置が第１の発光素子１００の第１の出射光を遮蔽し、しかし、第２の発光素子１０２の第２の出射光が遮蔽されない。このため、第１の受光領域１０６の第１の受光量１１１が第２の受光領域１０８の第２の受光量１１３よりずっと小さい。この場合、第１の受光領域１０６及び第２の受光領域１０８が検出する第１及び第２の受光量１１１及び１１３は、（０，１）と表示してもよい。この方式によって、傾斜検出器１が図２Ｂにある位置を判断できる。その位置は、図２Ａに対し時計回り方向に９０度異なる。
【００２６】
図２Ｃにおいて、遮蔽物１０４がある位置が第１の発光素子１００及び第２の発光素子１０２の第１及び第２の出射光をいずれも遮蔽しない。このため、第１の受光領域１０６及び第２の受光領域１０８が図２Ａにおけるものより大きい第１及び第２の受光量１１１及び１１３を有し、この場合、第１の受光領域１０６及び第２の受光領域１０８が検出する受光量は、（１，１）と表示してもよい。これで傾斜検出器１が図２Ｃにある位置を判断できる。その位置は、図２Ａに対して１８０度異なる。
【００２７】
図２Ｄにおいて、遮蔽物１０４がある位置が第２の発光素子１０２の第２の出射光を遮蔽、しかし第１の発光素子１００の第１の出射光が遮蔽されない。このため、第２の受光領域１０８の第２の受光量１１３が第１の受光領域１０６の第１の受光量１１１よりずっと小さい。この場合、第１の受光領域１０６及び第２の受光領域１０８が検出する第１及び第２の受光量１１１及び１１３は、（１，０）と表示してもよい。この方式によって、傾斜検出器１が図２Ｄに存在する位置を判断できる。その位置は、図２Ａに対して反時計方向に９０度異なる。
【００２８】
図１Ｃに図示する判断モジュール１１６が光センサの第１の受光領域１０６及び第２の受光領域１０８に電気的に接続される。判断モジュール１１６は、前記第１の発光素子１００と遮蔽物１０４及び第２の発光素子１０２と遮蔽物１０４との相対位置により検出する第１の及び第２の受光量１１１及び１１３によって、傾斜検出器１の傾斜角度を判断することができる。一実施例において、判断モジュール１１６を光センサと同一チップに形成してもよい。
【００２９】
本実施例における傾斜検出器１は、異なる出射光を発生する２つの発光素子と遮蔽物との相対関係によって、光センサが異なる出射光の受光量の検出を行い、傾斜角度を検出する効果に達する。実際には、発光素子は、前記実施例において記述した数に限られなく、異なる実施例に応じて多くの数及び種類を有してもよく、さらに光センサにおいて相応の受光領域を合わせて、検出の効果に達する。
【００３０】
図３Ａ及び図３Ｂを参照する。図３Ａは、本発明内容のまた別の一実施例において、傾斜検出器３の分解図であり、図３Ｂは、図３Ａの傾斜検出器３がＡ方向に沿う側面図である。傾斜検出器３は、第１の発光素子３００、第２の発光素子３０２、遮蔽物３０４、光センサ及び判断モジュール（図示せず）を含む。
【００３１】
本実施例の傾斜検出器３は、基板３１０と収納空間３１２との間にある３つの底部収容室３１４を更に含む。第１の発光素子３００、第２の発光素子３０２及び第１及び第２の受光領域３０６、３０８を含む光センサが底部収容室３１４にあり、底部収容室３１４がそれぞれ遮蔽物３０４より小さい開口を有し、その開口を介して収納空間３１２に続いており、遮蔽物３０４が収納空間３１２の中のみで移動する。本実施例の傾斜検出器３は、遮蔽物３０４を落とさないように収納空間３１２の中で移動させるカバー３１６を更に含む。光センサの第１の及び第２の受光領域３０６、３０８は、底部収容室３１４の各開口によって、第１の発光素子３００及び第２の発光素子３０２の第１及び第２の出射光が発生する第１及び第２の反射光に対して前記一実施例に記述したような検出をし、図３Ｂに示すように、判断モジュールに傾斜角度を判断させる。
【００３２】
図４Ａ及び図４Ｂを参照する。図４Ａは、本発明内容のまた別の一実施例において、傾斜検出器４の分解図であり、図４Ｂは、図４Ａの傾斜検出器４を組み立てた後の立体斜視図である。傾斜検出器４は、第１の発光素子４００、第２の発光素子４０２、遮蔽物４０４、光センサ及び判断モジュール（図示せず）を含む。
【００３３】
本実施例の傾斜検出器４は、基板４１０と収納空間４１２との間にある４つの底部収容室４１４を含む。第１の発光素子４００、第２の発光素子４０２及び第１と第２の受光領域４０６、４０８を含む光センサが底部収容室４１４にあり、底部収容室４１４がそれぞれ開口を有し、その開口を介して収納空間４１２に続く。本実施例において、傾斜検出器４は、底部収容室４１４の真ん中に設けられる枢軸４１１を更に有し、遮蔽物４０４が板状遮蔽物であり、その一端が枢軸４１１に枢接され、重力によって収納空間４１２の中で回転運動を行う。このため、板状遮蔽物４０２が重力によって回転して一定の方向に向かう時に、前記板状遮蔽物４０２がその一定の方向の下にある底部収容室４１４を遮蔽し、且つ第１及び第２の受光領域４０６、４０８がこの位置で受けた第１及び第２の受光量によって検出を行い、検出の効果に達し、判断モジュール（図４Ａ及び図４Ｂに図示せず）に傾斜角度を判断させる。
【００３４】
図５を参照する。図５は、本発明内容のまた別の一実施例において、傾斜検出器５の平面図である。傾斜検出器５は、第１の発光素子５００、第２の発光素子５０２、遮蔽物５０４、光センサ及び判断モジュール（図示せず）を含む。
【００３５】
本実施例の傾斜検出器５は、３つの中間収容室５１４を含む。収納空間５１２及び中間収容室５１４がいずれも基板５１０にあり、且つ収納空間５１２が中間収容室５１４を取り囲んで設けられる。第１の発光素子５００、第２の発光素子５０２及び第１と第２の受光領域５０６、５０８を含む光センサが中間収容室５１４にあり、中間収容室５１４がそれぞれ開口を有し、その開口を介して収納空間５１２に続く。遮蔽物５０４は、球状遮蔽物又は円板状遮蔽物であり、重力によって収納空間５１２の中で転がる又は回転運動をする。光センサの第１及び第２の受光領域５０６、５０８は、中間収容室５１４の各開口によって、第１の発光素子５００及び第２の発光素子５０２による第１及び第２の出射光が発生する第１及び第２の反射光に対して検出を行い、判断モジュールに傾斜角度を判断させる。例えば、遮蔽物５０４が位置６０に位置する時に、第１の発光素子５００及び第２の発光素子５０２が発生する光（出射光）がいずれも第１及び第２の受光領域５０６、５０８により検出され、この場合、その対応する第１及び第２の受光量は、（１，１）と表示してもよい。遮蔽物５０４が位置６２にある時に、第２の発光素子５０２が発生する光が遮蔽され、このため、対応する第１及び第２の受光量は、（１，０）と表示してもよい。遮蔽物５０４が位置６４にある時に、第１の発光素子５００及び第２の発光素子５０２が発生する光がいずれも遮蔽され、このため、対応する第１及び第２の受光量は、（０，０）と表示してもよい。遮蔽物５０４が位置６６にある時に、第１の発光素子５００が発生する光が遮蔽され、このため、対応する第１及び第２の受光量は、（０，１）と表示してもよい。
【００３６】
注意すべきなのは、前記実施例における傾斜検出器各素子の相対位置は、可能な実施形態の中のただ三種類である。実際には、傾斜検出器において発光素子の数、各素子とモジュールとの間の相対位置、ハウジングの外形及び収容室の形状がいずれも本発明内容の前記実施例に制限されなく、必要に応じて異なる設計方式を有してもよい。
【００３７】
図６を参照する。図６は、本発明内容のまた別の一実施例において、傾斜検出器の操作方法のフローチャートである。傾斜検出器の操作方法は、例えば図１Ａ〜図１Ｃに示す傾斜検出器１、図３Ａ〜図３Ｂに示す傾斜検出器３、図４Ａ〜図４Ｂに示す傾斜検出器４又は図５Ａ〜図５Ｂに示す傾斜検出器５に適用することができる。本実施例は、図１Ａ〜図１Ｃの傾斜検出器１を例として説明する。傾斜検出器の操作方法は、以下のステップを含む。（本実施形態に言及するステップは、その順序を特に述べるものを除き、すべてが必要に応じてその前後順序を調整してもよく、更に同時又は一部同時に行ってもよいことを了承する。）
【００３８】
ステップ６０１では、傾斜検出器１の基板１１０上の複数の発光素子が（例えば、図１Ａの第１及び第２の発光素子１００、１０２）異なる複数の出射光を発生する。ステップ６０２では、遮蔽物１０４が傾斜検出器１の収納空間１１２の中で重力によって運動する。ステップ６０３では、傾斜検出器１の光センサが検出を行い、光センサがそれぞれ出射光の中のいずれか１つに対応して受光する複数の受光領域（例えば、図１Ａの第１及び第２の受光領域１０６、１０８）を含み、第１の及び第２の発光素子１００、１０２と運動可能な遮蔽物１０４との相対位置によって複数の受光量（例えば、図１Ｃに示す第１及び第２の受光量１１１、１１３）を検出する。最後に、ステップ６０４では、判断モジュール１１６に第１及び第２の受光量１１１、１１３によって傾斜検出器１の傾斜角度を判断させる。
【００３９】
本発明内容を用いることにより、複数の発光素子によって異なる出射光を発生し、遮蔽物と発光素子との位置関係を合わせて、光センサによって異なる出射光に対応する受光量を検出し、傾斜角度を判断する効果に達する。
【００４０】
本発明内容がすでに実施形態で以上のように開示されるが、しかしながらそれは本発明内容を限定するものではなく、当該技術に熟知する者が、本発明内容の精神及び範囲から逸脱しない限り、本発明の分野にて容易に考えられる変化又は修飾は、すべて下記の本発明の特許請求の範囲に含まれる。
【符号の説明】
【００４１】
１、３、４、５…傾斜検出器、  １００、３００、４００、５００…第１の発光素子、
１０２、３０２、４０２、５０２…第２の発光素子、
１０４、３０４、４０４、５０４…遮蔽物、
１０６、３０６、４０６、５０６…第１の受光領域、
１０８、３０８、４０８、５０８…第２の受光領域
１１０、３１０、４１０、５１０…基板、  １１１…第１の受光量、
１１２、３１２、４１２、５１２…収納空間、  １１３…第２の受光量、
１１４…周囲収容室、１１６…判断モジュール、  ３１４、４１４…底部収容室、
３１６…カバー、  ４１１…枢軸、  ５１４…中間収容室、
６０、６２、６４、６６…位置、  ６０１、６０２、６０３、６０４…ステップ。
【図１Ａ】
0005209030.tif 000002
【図１Ｂ】
0005209030.tif 000003
【図１Ｃ】
0005209030.tif 000004
【図２Ａ】
0005209030.tif 000005
【図２Ｂ】
0005209030.tif 000006
【図２Ｃ】
0005209030.tif 000007
【図２Ｄ】
0005209030.tif 000008
【図３Ａ】
0005209030.tif 000009
【図３Ｂ】
0005209030.tif 000010
【図４Ａ】
0005209030.tif 000011
【図４Ｂ】
0005209030.tif 000012
【図５】
0005209030.tif 000013
【図６】
0005209030.tif 000014